(57)【要約】  複数の周波数帯に対応する簡易な構成のアンテナ装置の提供に資する。アンテナ装置は、基板の一方の面に設けられた、第１の周波数帯に共振周波数を有する少なくとも１つの第１放射素子と、基板の一方の面に設けられた少なくとも１つの第２放射素子と、基板の一方の面において第１放射素子と第２放射素子とを接続する接続線路と、基板の内部において第１放射素子と向き合う位置に設けられ、スロットを有する導体と、スロットを介して第１放射素子に給電する給電線路と、を備え、接続線路は、第１放射素子の、共振による放射電波の偏波方向に沿った方向の中央部に接続され、第１放射素子、接続線路、及び、第２放射素子によって形成される線路長が、第１の周波数帯よりも低い第２の周波数帯に共振周波数を有する長さに設定されている。
2019198666.tif 000002
【特許請求の範囲】
【請求項１】
基板の一方の面に設けられた、第１の周波数帯に共振周波数を有する少なくとも１つの第１放射素子と、
前記基板の一方の面に設けられた少なくとも１つの第２放射素子と、
前記基板の一方の面において前記第１放射素子と前記第２放射素子とを接続する接続線路と、
前記基板の内部において前記第１放射素子と向き合う位置に設けられ、スロットを有する導体と、
前記スロットを介して前記第１放射素子に給電する給電線路と、を備え、
前記接続線路は、前記第１放射素子の、共振による放射電波の偏波方向に沿った方向の中央部に接続され、
前記第１放射素子、前記接続線路、及び、前記第２放射素子によって形成される線路長が、前記第１の周波数帯よりも低い第２の周波数帯に共振周波数を有する長さに設定されている、
アンテナ装置。
【請求項２】
複数の前記第１放射素子を備え、
前記接続線路は、前記複数の第１放射素子それぞれの中央部の間を接続する、
請求項１に記載のアンテナ装置。
【請求項３】
前記複数の第１放射素子は、前記給電線路から、位相および電力の値のうち少なくとも一方を制御された給電が行われる、
請求項２に記載のアンテナ装置。
【請求項４】
前記複数の第１放射素子は、前記偏波方向と前記偏波方向に垂直な方向とに配置され、
前記第２放射素子は、前記偏波方向に沿って延びる部分と、前記偏波方向に垂直な方向に沿って延びる部分とを含む、
請求項２に記載のアンテナ装置。
【請求項５】
前記基板の一方の面に設けられ、前記第２の周波数帯よりも低い第３の周波数帯に共振周波数を有する第３放射素子と、
前記基板の一方の面において前記第２放射素子と接続され、前記第３放射素子と電磁界的に結合するグランドパターンと、
前記第３放射素子に設けられ、前記第２放射素子に前記第２の周波数帯の電力を給電し、かつ、前記第３放射素子に前記第３の周波数帯の電力を給電する給電部と、を備える、
請求項１に記載のアンテナ装置。
【請求項６】
前記第１放射素子と前記導体との間、および、前記導体と前記給電線路との間に、絶縁層が設けられる、
請求項１に記載のアンテナ装置。
【請求項７】
前記導体は、前記第１放射素子よりも大きいサイズを有する、
請求項１に記載のアンテナ装置。
【発明の詳細な説明】
【技術分野】
【０００１】
本開示は、アンテナ装置に関する。
【背景技術】
【０００２】
近年、無線通信における通信データトラヒックの量は増大している。通信データトラヒック量の増大に伴い、無線通信では、新たな周波数帯の使用が検討されている。【０００３】
新たな周波数帯が使用される場合、無線通信を行う装置（例えば、移動端末）には、新たな周波数帯に対応するアンテナが必要となる。一方で、小型かつ薄型な移動端末では、新たな周波数帯に対応するアンテナを配置するスペースを確保することが困難である。【０００４】
そのため、通信データトラヒック量が増大する高速大容量の無線通信では、１つのアンテナで複数の周波数帯に対応するマルチバンドアンテナの技術が検討されている。【０００５】
例えば、特許文献１には、低周波数帯および高周波数帯のそれぞれに対応するアンテナ素子と、低周波数帯のアンテナ素子と高周波数帯のアンテナ素子との間の信号の伝送を遮断する遮断回路とを有するマルチバンド用アンテナが開示されている。
【先行技術文献】
【特許文献】
【０００６】
【特許文献１】国際公開第２０１４／０９７８４６号
【発明の概要】
【０００７】
しかしながら、特許文献１に開示されたマルチバンド用アンテナでは、低周波数帯のアンテナ素子と高周波数帯のアンテナ素子との間の信号の伝送を遮断する遮断回路が設けられるため、アンテナの構成が複雑になってしまう。
【０００８】
本開示の非限定的な実施例は、複数の周波数帯に対応する簡易な構成のアンテナ装置の提供に資する。
【０００９】
本開示の一実施例に係るアンテナ装置は、基板の一方の面に設けられた、第１の周波数帯に共振周波数を有する少なくとも１つの第１放射素子と、前記基板の一方の面に設けられた少なくとも１つの第２放射素子と、前記基板の一方の面において前記第１放射素子と前記第２放射素子とを接続する接続線路と、前記基板の内部において前記第１放射素子と向き合う位置に設けられ、スロットを有する導体と、前記スロットを介して前記第１放射素子に給電する給電線路と、を備え、前記接続線路は、前記第１放射素子の、共振による放射電波の偏波方向に沿った方向の中央部に接続され、前記第１放射素子、前記接続線路、及び、前記第２放射素子によって形成される線路長が、前記第１の周波数帯よりも低い第２の周波数帯に共振周波数を有する長さに設定されている。
【００１０】
なお、これらの包括的または具体的な態様は、システム、装置、集積回路、コンピュータプログラム、または、記録媒体で実現されてもよく、システム、装置、方法、集積回路、コンピュータプログラムおよび記録媒体の任意な組み合わせで実現されてもよい。
【００１１】
本開示の一実施例によれば、複数の周波数帯に対応する簡易な構成のアンテナ装置の提供に資する。
【００１２】
本開示の一実施例における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１３】
【図１Ａ】本開示の一実施の形態に係るマルチバンドアンテナの外観の一例を示す斜視図
【図１Ｂ】本開示の一実施の形態に係るマルチバンドアンテナの一例を示す分解斜視図
【図１Ｃ】本開示の一実施の形態に係るマルチバンドアンテナの一例を示す平面図
【図２Ａ】第２の誘電体におけるスロット及び高周波給電線路の周辺の拡大図
【図２Ｂ】図２Ａの線Ａにおける断面図
【図３】高周波素子の電界分布の一例を示す図
【図４】本開示の一実施の形態の第１の変形例に係るマルチバンドアンテナの一例を示す平面図
【図５】本開示の一実施の形態の第２の変形例に係るマルチバンドアンテナの一例を示す平面図
【発明を実施するための形態】
【００１４】
以下、本開示の実施の形態について、図面を参照して詳細に説明する。なお、以下に説明する各実施形態は一例であり、本開示はこれらの実施形態により限定されるものではない。
【００１５】
（一実施の形態）
本開示の実施の形態について、図面を参照して詳細に説明する。
【００１６】
図１Ａは、本実施の形態に係るマルチバンドアンテナ３００の外観の一例を示す斜視図である。図１Ｂは、本実施の形態に係るマルチバンドアンテナ３００の一例を示す分解斜視図である。図１Ｃは、本実施の形態に係るマルチバンドアンテナ３００の一例を示す平面図である。
【００１７】
図１Ａ、図１Ｂおよび図１Ｃには、Ｘ軸、Ｙ軸およびＺ軸が示される。Ｘ軸、Ｙ軸およびＺ軸は、それぞれ、マルチバンドアンテナ３００の幅、長さおよび高さ（厚み）に対応する。
【００１８】
マルチバンドアンテナ３００は、例えば、第１の誘電体３０１と第２の誘電体３０２とを有する多層基板に設けられる。マルチバンドアンテナ３００は、多層基板において、例えば導体（または導電）パターンによって構成される。導体パターンは、例えば、エッチング技術を用いて形成される。例えば、マルチバンドアンテナ３００は、銅箔パターンによって構成される。
【００１９】
第２の誘電体３０２は、例えば、コア材を用いて構成された両面銅張基板である。第１の誘電体３０１は、例えば、プリプレグを用いて構成される。第１の誘電体３０１と、第１の誘電体３０２と、が貼り合わされることによって、多層基板が構成される。なお、第１の誘電体３０１のＺ軸方向に対向する２つの面のうち、Ｚ軸の正の方向の面は、第１の誘電体３０１の「上面」と称され、Ｚ軸の負の方向の面は、第１の誘電体３０１の「下面」と称されることがある。また、第２の誘電体３０２のＺ軸方向に対向する２つの面のうち、Ｚ軸の正の方向の面は、第２の誘電体３０２の「上面」と称され、Ｚ軸の負の方向の面は、第２の誘電体３０２の「下面」と称されることがある。
【００２０】
第１の誘電体３０１の比誘電率は、第２の誘電体３０２の比誘電率と同一であってもよいし、異なっていてもよい。
【００２１】
なお、本実施の形態では、マルチバンドアンテナ３００が複数の誘電体の層を含む多層基板に設けられる例を示すが、マルチバンドアンテナ３００は、誘電体を含まない基板に設けられてもよい。
【００２２】
マルチバンドアンテナ３００は、高周波素子３０３と、低周波素子３０４と、放射素子接続線路３０５と、低周波給電部３０６と、スロット３０７が設けられる導体３０９と、高周波給電線路３０８と、高周波給電部３１０と、を具備する。
【００２３】
マルチバンドアンテナ３００は、第１の周波数帯および第１の周波数帯よりも低い第２の周波数帯で動作する。例えば、マルチバンドアンテナ３００は、第１の周波数帯の無線信号の送信および／または受信をサポートし、第２の周波数帯の無線信号の送信および／または受信をサポートする。以下の説明において、「高周波」とは、第１の周波数帯に対応し、「低周波」とは、第２の周波数帯に対応する。
【００２４】
２つの高周波素子３０３は、例えば、Ｘ−Ｙ面において矩形を有し、第１の誘電体３０１のＺ軸方向に対向する２つの面の一方（例えば、図１Ａおよび図１Ｂの上面）において、Ｙ軸方向に配列される。２つの高周波素子３０３は、それぞれ、第１の周波数帯で動作する（別言すると、共振する）アンテナ素子であり、第１の周波数帯に共振周波数（便宜的に「第１の共振周波数」と称する）を有する。例えば、第１の周波数帯は、２８ＧＨｚ帯である。
【００２５】
高周波素子３０３のＸ軸方向及びＹ軸方向の辺の長さは、λe１／２である。λe１は、第１の共振周波数に対応し、誘電体の波長短縮が考慮された実効波長である。例えば、λe１は、真空中の第１の共振周波数の波長に、誘電体の比誘電率に基づいて定まる係数を乗じた波長である。なお、考慮する誘電体は、例えば、第１の誘電体３０１と第２の誘電体３０２の両方である。
【００２６】
２つの低周波素子３０４は、例えば、Ｘ−Ｙ面において矩形を有し、第１の誘電体３０１の上面において、Ｙ軸方向に高周波素子３０３を挟む位置に配列される。
【００２７】
放射素子接続線路３０５は、例えば、第１の誘電体３０１の上面に３つ配置され、２つの高周波素子３０３の間、および、２組の高周波素子３０３と低周波素子３０４との間を接続する。放射素子接続線路３０５の幅（Ｘ軸方向の長さ）は、例えば、高周波素子３０３の一辺の長さより短い。
【００２８】
なお、高周波素子３０３に対して放射素子接続線路３０５を接続する位置については、後述する。
【００２９】
第１の誘電体３０１において、２つの高周波素子３０３、２つの低周波素子３０４、および、３つの放射素子接続線路３０５を含み、Ｙ軸方向に延在するパターンは、第１の周波数帯よりも低い第２の周波数帯で動作するアンテナ素子である。例えば、第２の周波数帯は、２ＧＨｚ帯である。以下、第１の誘電体３０１において、Ｙ軸方向に延在するパターンを、便宜的に、低周波アンテナパターンと称することがある。
【００３０】
低周波アンテナパターンのＹ軸方向の長さＬ２は、例えば、第２の周波数帯で共振する長さ、別言すると、低周波アンテナパターンが第２の周波数帯に共振周波数（便宜的に「第２の共振周波数」と称する）を有する長さに設定される。長さＬ２は、例えば、λe２／４×Ｎ（Ｎは、１以上の整数）である。λe２は、第２の共振周波数に対応し、誘電体の波長短縮が考慮された実効波長である。例えば、λe２は、真空中の第２の共振周波数の波長に、誘電体の比誘電率に基づいて定まる係数を乗じた波長である。なお、考慮する誘電体は、例えば、第１の誘電体３０１と第２の誘電体３０２の両方である。
【００３１】
低周波給電部３０６は、例えば、２つの低周波素子３０４の一方の端部に設けられ、低周波素子３０４を含む低周波アンテナパターンを給電する。低周波給電部３０６は、例えば、図示しない低周波無線制御部に電気的に接続される。低周波無線制御部によって、低周波給電部３０６から低周波素子３０４への給電が制御される。
【００３２】
低周波アンテナパターンと低周波給電部３０６とを含み、第２の周波数帯の電波を放射する構成を、便宜的に、「低周波放射部」と称することがある。
【００３３】
２つの導体３０９は、それぞれ、第２の誘電体３０２の上面において２つの高周波素子３０３に対応する位置（例えば、高周波素子３０３よりもＺ軸の負の方向の位置）に矩形の導体パターンによって形成される。導体３０９は、例えば、矩形の各辺の長さが高周波素子３０３の各辺よりも長く、高周波素子３０３からＺ軸の負の方向に放射される電波を反射する反射板の機能を有する。
【００３４】
なお、２つの導体３０９は、それぞれ、第１の誘電体３０１の下面において２つの高周波素子３０３に対応する位置（例えば、高周波素子３０３よりもＺ軸の負の方向の位置）に形成されてもよい。
【００３５】
導体３０９のそれぞれに、スロット３０７が設けられる。導体３０９におけるスロット３０７の位置は、例示的に、導体３０９の中央又は中央近傍であってよい。スロット３０７は、導体３０９の一部がＹ軸方向に細長い矩形に切り抜かれた切り抜き部に相当する。切り抜き部は、「スリット」、「切り欠き」または「隙間」と称されてもよい。スロット３０７の幅方向はＸ軸方向であり、スロット３０７の長さ方向は、Ｙ軸方向である。スロット３０７のＹ軸方向の長さは、例えば、λe１／２以下である。
【００３６】
２つの高周波給電線路３０８は、例えば、第２の誘電体３０２の下面において２つの高周波素子３０３に対応して設けられる。高周波給電線路３０８のそれぞれは、例えば、Ｘ軸方向に細長い矩形を有し、第２の誘電体３０２の、スロット３０７に対してＺ軸の負の方向に間隔を空けて、平面視においてスロット３０７と重なる位置に配置される。高周波給電線路３０８それぞれの一端に、高周波給電部３１０が設けられる。
【００３７】
高周波給電部３１０は、例えば、高周波素子３０３との電磁界的な結合によって高周波素子３０３を給電する。例えば、高周波給電部３１０から給電された電力は、高周波給電線路３０８およびスロット３０７を介して、高周波素子３０３へ伝送される。高周波給電部３１０は、例えば、図示しない高周波無線制御部に電気的に接続される。高周波無線制御部によって、高周波素子３０３への給電が制御される。
【００３８】
上述したように、本実施の形態では２つの高周波素子３０３それぞれに対して、導体３０９、高周波給電線路３０８および高周波給電部３１０が配置される。
【００３９】
高周波素子３０３と、高周波給電線路３０８と、スロット３０７を有する導体３０９と、高周波給電部３１０と、を含み、第１の周波数帯の電波を放射する構成を、便宜的に、「高周波放射部」と称することがある。
【００４０】
次に、スロット３０７と高周波給電線路３０８との位置関係、および、高周波素子３０３への給電について説明する。
【００４１】
図２Ａは、第２の誘電体３０２におけるスロット３０７及び高周波給電線路３０８の周辺の拡大図である。図２Ｂは、図２Ａの線Ａにおける断面図である。なお、図２Ｂには、第２の誘電体３０２に設けられるスロット３０７と高周波給電線路３０８とに加えて、第１の誘電体３０１に設けられる高周波素子３０３が示される。
【００４２】
スロット３０７が、高周波給電線路３０８を介した高周波給電部３１０からの給電によって励振されると、スロット３０７の幅方向であるＸ軸方向に電界が発生する。スロット３０７から放射される電磁界が高周波素子３０３に電磁界的に結合することによって、高周波素子３０３が励振する。この場合、高周波素子３０３の偏波方向は、スロット３０７の電界の方向と同様にＸ軸方向である。
【００４３】
高周波給電部３１０からの給電によって、高周波給電線路３０８を介してスロット３０７が励振する。図２Ａにおいて、高周波給電線路３０８の端部に沿った線Ｂと、スロット３０７のＸ軸方向の略中央に沿った線Ａと、の間隔Ｌｆは、例えば、λe１／４に設定されてよい。
【００４４】
間隔Ｌｆがλe１／４に設定されることによって、高周波給電線路３０８とスロット３０７とは、効率よく電磁界的に結合する。
【００４５】
このような構成により、高周波給電部３１０からの給電によって、高周波給電線路３０８を介してスロット３０７が励振する。そして、スロット３０７と高周波素子３０３とが、電磁界的に結合することによって、高周波素子３０３から、例えば、Ｚ軸の正方向へ電波が放射される。
【００４６】
ここで、スロット３０７は、第２の周波数帯に対してカットオフ特性を有する。例えば、スロット３０７のＹ軸方向の長さによってカットオフ周波数が規定される。例えば、第２の周波数帯に含まれる第２の共振周波数がカットオフ周波数に相当するようにスロット３０７のＹ軸方向の長さが規定される。あるいは、第１の周波数帯と第２の周波数帯の間の周波数がカットオフ周波数に相当するようにスロット３０７の長手方向の長さが規定されてもよい。第２の周波数帯に対してカットオフ特性を有するスロット３０７を設けることにより、第２の周波数帯の電力が、高周波給電線路３０８へ到達することを抑制できる。なお、第２の周波数帯に対してカットオフ特性を有するスロット３０７は、カットオフ周波数よりも低い周波数の電力の伝達を阻止又は阻害するため、第２の周波数帯より低い周波数帯に対してカットオフ特性を有する。
【００４７】
スロット３０７が設けられることによって、例えば、低周波放射部の動作が、高周波放射部の動作に与える影響を抑制できる。そのため、例えば、実施の形態のマルチバンドアンテナ３００では、低周波数帯から高周波数帯への電力の伝達を遮断するための遮断回路が不要となる。したがって、マルチバンドアンテナ３００の構成を簡易化できる。
【００４８】
スロット３０７は、導体３０９のＸ軸方向の長さの中心からＸ軸方向にずれた位置に設けられてもよい。また、スロット３０７は、導体３０９のＹ軸方向の長さの中心からＹ軸方向にずれた位置に設けられてもよい。
【００４９】
次に、高周波素子３０３に対して放射素子接続線路３０５を接続する位置について説明する。
【００５０】
図３は、高周波素子３０３の電界分布の一例を示す図である。図３には、高周波素子３０３と、高周波素子３０３の偏波方向（Ｘ軸方向）における電界分布のグラフが示される。
【００５１】
電界分布の縦軸は、高周波素子３０３のＸ軸方向の位置を示し、電界分布の横軸は、高周波素子３０３のＸ軸方向の位置における電界値を示す。
【００５２】
高周波素子３０３の偏波方向がＸ軸方向であり、高周波素子３０３の端部が開放端であるため、Ｘ軸方向において定在波が発生する。電界値は、高周波素子３０３の端部において最大値をとり、高周波素子３０３のＸ軸方向における中央部で最小値をとる。
【００５３】
電界値が最小値をとる、高周波素子３０３のＸ軸方向における中央部に、放射素子接続線路３０５を接続する。この接続によって、高周波素子３０３から放射素子接続線路３０５に電流が流れることが阻止又は阻害される。したがって、高周波放射部と、低周波放射部との間のアイソレーション特性を向上できる。そのため、例えば、実施の形態のマルチバンドアンテナ３００では、高周波数帯から低周波数帯への電力の伝達を遮断する遮断回路が不要となる。したがって、マルチバンドアンテナ３００の構成を簡易化できる。
【００５４】
また、例えば、２つの高周波素子３０３の間を接続する放射素子接続線路３０５が、２つの高周波素子３０３それぞれのＸ軸方向における中央部に接続することによって、高周波素子３０３の間に電流が流れることが阻止又は阻害される。したがって、２つの高周波放射部の間のアイソレーション特性を向上できる。
【００５５】
以上説明したように、本実施の形態に係るマルチバンドアンテナ３００では、高周波素子３０３と、低周波素子３０４と、高周波素子３０３と低周波素子３０４の間および２つの高周波素子３０３の間を接続する放射素子接続線路３０５とが、第１の誘電体３０１の一方の面（例えば、上面）に設けられる。高周波素子３０３は、第１の周波数帯に共振周波数を有し、偏波方向（Ｘ軸方向）の直線偏波で動作する。放射素子接続線路３０５は、高周波素子３０３の、共振による放射電波の偏波方向に沿った方向の中央部に接続される。また、スロット３０７を有する導体３０９は、第１の誘電体３０１と第２の誘電体３０２とを含む多層基板の内部において、高周波素子３０３と向き合う位置に設けられる。
【００５６】
この構成により、低周波放射部と高周波放射部との間のアイソレーション特性を向上できる。例えば、放射素子接続線路３０５が、高周波素子３０３の電界の小さい位置に接続されるため、高周波素子３０３から低周波素子３０４へ流れる電流を抑制でき、高周波放射部の動作が低周波放射部へ与える影響を抑制できる。また、スロット３０７が、第２の周波数帯の電力の伝達を抑制するため、低周波放射部の動作が高周波放射部へ与える影響を抑制できる。
【００５７】
また、この構成では、遮断回路（例えば、スタブまたは帯域阻害フィルタ）を設けなくてよいため、簡易な構成で複数の周波数帯に対応することができる。
【００５８】
また、２つの高周波放射部のそれぞれに含まれる高周波素子３０３の間を接続する放射素子接続線路３０５は、高周波素子３０３の電界の小さい位置に接続されるため、高周波素子３０３の間で流れる電流を抑制でき、一方の高周波放射部の動作が他方の高周波放射部へ与える影響を抑制できる。
【００５９】
また、マルチバンドアンテナ３００では、高周波無線制御部が２つの高周波給電部３１０に給電する電力の値および／または位相の値を調整することによって、高周波素子３０３から放射される電波の指向性を制御できる。指向性の制御とは、電波の放射パターンにおけるピーク（メインローブ）の方向および／またはサイドローブのレベルを制御することを指す。マルチバンドアンテナ３００では、２つの高周波素子３０３がＸ−Ｙ平面においてＹ軸方向に配列されることによって、Ｙ−Ｚ面の指向性を制御できる。なお、指向性制御の方法、例えば、各高周波給電部３１０に給電する電力の値および／または位相の値を調整する方法は、アレイアンテナの指向性制御についての公知の方法であってもよい。
【００６０】
なお、上述したマルチバンドアンテナ３００の例は、２つの高周波素子３０３と、２つの低周波素子３０４と、を有する例を示した。本開示は、これに限定されない。例えば、低周波素子３０４は、１つであってもよいし、３つ以上であってもよい。また、高周波素子３０３は、１つであってもよいし、３つ以上であってもよい。以下の変形例１では、４つの高周波素子３０３を有するマルチバンドアンテナを説明する。
【００６１】
（変形例１）
図４は、本実施の形態の第１の変形例に係るマルチバンドアンテナ６００の一例を示す平面図である。図４において、図１Ａ〜図１Ｃに示した構成と同様の構成については、同一の符番を付し、適宜、説明を省略する。
【００６２】
図４に示すマルチバンドアンテナ６００は、第１の誘電体３０１の上面に、４つの高周波素子３０３と、２つの低周波素子３０４と、折り曲げ部６０１が形成される。また、第１の誘電体３０１の上面には、高周波素子３０３の間、低周波素子３０４と高周波素子３０３の間、および、高周波素子３０３と折り曲げ部６０１の間をそれぞれ接続する放射素子接続線路３０５が形成される。
【００６３】
４つの高周波素子３０３それぞれの背面側（Ｚ軸の負方向）には、スロット３０７を有する導体３０９、高周波給電線路３０８および高周波給電部３１０が設けられる。
【００６４】
図４に示すマルチバンドアンテナ６００では、高周波放射部６０２が、Ｘ軸方向とＹ軸方向に２つずつ配列される。この場合、第１の誘電体３０１の上面には、２つの高周波素子３０３を組にした、２組の高周波素子３０３が、並列に配列される。
【００６５】
折り曲げ部６０１は、Ｘ軸方向に延びる部分と、Ｙ軸方向に延びる部分を有する。折り曲げ部６０１は、例えば、最もＹ軸負方向においてＸ軸方向に整列する２つの高周波素子３０３を、放射素子接続線路３０５を介して接続するように設けられる。なお、折り曲げ部６０１は、「低周波素子」の１つと称されてもよい。
【００６６】
マルチバンドアンテナ６００では、低周波素子３０４と、放射素子接続線路３０５と、高周波素子３０３と、折り曲げ部６０１と、が接続されたパターン（マルチバンドアンテナ６００における低周波アンテナパターン）に沿ったラインの長さをλe２／４×Ｎ（Ｎは、１以上の整数）に設定する。この設定により、低周波アンテナパターンは、第２の周波数帯で動作する。
【００６７】
この構成により、図４に示すマルチバンドアンテナ６００は、図１Ａ〜図１Ｃに示したマルチバンドアンテナ３００と同様に、低周波放射部と高周波放射部との間のアイソレーション特性を向上できる。
【００６８】
また、４つの高周波放射部６０２のそれぞれに含まれる高周波素子３０３の間を接続する放射素子接続線路３０５は、高周波素子３０３の電界の小さい位置に接続される。そのため、高周波素子３０３の間で流れる電流を抑制でき、１つの高周波放射部の動作が他の高周波放射部へ与える影響を抑制できる。
【００６９】
また、図４に示すマルチバンドアンテナ６００では、高周波放射部６０２が、Ｘ軸方向とＹ軸方向に２つずつ配列される。そのため、マルチバンドアンテナ６００では、高周波無線制御部が４つの高周波給電部３１０に給電する電力の値及び／又は位相の値を調整することによって、高周波素子３０３から放射される電波のＸ−Ｚ面およびＹ−Ｚ面の指向性を制御できる。
【００７０】
なお、上述したマルチバンドアンテナ３００およびマルチバンドアンテナ６００の例は、高周波帯（第１の周波数帯）および低周波帯（第２の周波数帯）の２つの周波数帯に対応するマルチバンドアンテナの例を示した。以下の変形例２では、３つの周波数帯に対応するマルチバンドアンテナを説明する。
【００７１】
（変形例２）
図５は、本実施の形態の第２の変形例に係るマルチバンドアンテナ７００の一例を示す平面図である。なお、図５において、図１Ａ〜図１Ｃおよび図４と同様の構成については同一の符番を付し、適宜、説明を省略する。
【００７２】
マルチバンドアンテナ７００は、３つの周波数帯で動作する。以下では、３つの周波数帯は、周波数が高い方から順に、第１の周波数帯、第２の周波数帯および第３の周波数帯と称されてもよい。例えば、第１の周波数帯および第２の周波数帯は、それぞれ、マルチバンドアンテナ３００の例と同様に、２８ＧＨｚ帯および２ＧＨｚ帯である。また、第３の周波数帯は、例えば、８００ＭＨｚ帯である。
【００７３】
図５に示すマルチバンドアンテナ７００は、アンテナ部３００ａ、放射素子７０１、給電部７０２およびグランドパターン７０３を有する。
【００７４】
放射素子７０１およびグランドパターン７０３は、第１の誘電体３０１の上面に、導体パターンによって形成される。給電部７０２は、例えば、放射素子７０１の一方の端部に設けられる。
【００７５】
アンテナ部３００ａは、低周波給電部３０６が設けられない点、および、１つの低周波素子３０４の端部がグランドパターン７０３に接続される点を除いて、マルチバンドアンテナ３００と同様である。アンテナ部３００ａは、第１の周波数帯で動作する高周波放射部６０２と、第２の周波数帯で動作する低周波放射部を有する。
【００７６】
低周波放射部は、低周波素子３０４、および、放射素子接続線路３０５を含み、Ｙ軸方向に延在する低周波アンテナパターンを有する。そして、マルチバンドアンテナ７００では、給電部７０２が、アンテナ部３００ａの低周波アンテナパターンに対して、第２の周波数帯の給電を行う。
【００７７】
放射素子７０１は、第３の周波数帯で動作する、別言すると、第３の周波数帯に共振周波数（便宜的に「第３の共振周波数」と称する）を有するアンテナ素子である。例えば、放射素子７０１の全長Ｌ３は、λe３／４×Ｎ（Ｎは、１以上の整数）である。λe３は、第３の共振周波数に対応し、誘電体の波長短縮が考慮された実効波長である。例えば、λe３は、真空中の第３の共振周波数の波長に、誘電体の比誘電率に基づいて定まる係数を乗じた波長である。なお、考慮する誘電体は、例えば、第１の誘電体３０１と第２の誘電体３０２（図１Ａおよび図１Ｂ参照）の両方である。
【００７８】
給電部７０２は、上述したように、アンテナ部３００ａの低周波アンテナパターンに対して、第２の周波数帯の給電を行う。また、給電部７０２は、放射素子７０１に対して、第３の周波数帯の給電を行う。給電部７０２は、図示しない無線制御部に電気的に接続する。無線制御部によって、２つの周波数帯の給電が制御される。
【００７９】
グランドパターン７０３は、給電部７０２から給電される第２の周波数帯の電力を低周波アンテナパターンへ伝達する。また、グランドパターン７０３の一部は、アンテナ部３００ａにおいて、低周波放射部が動作する場合、地線の機能を果たす。
【００８０】
この構成により、図５に示すマルチバンドアンテナ７００は、第１の周波数帯、第２の周波数帯および第３の周波数帯の３つの周波数帯に対応できる。
【００８１】
また、図５に示すマルチバンドアンテナ７００は、図１Ａ〜図１Ｃに示したマルチバンドアンテナ３００と同様に、低周波放射部と高周波放射部６０２との間のアイソレーション特性、および、２つの高周波放射部６０２の間のアイソレーション特性を向上できる。
【００８２】
また、図１Ａ〜図１Ｃに示したマルチバンドアンテナ３００と同様に、高周波素子３０３のＸ軸方向における中央部に、放射素子接続線路３０５を接続することによって、高周波素子３０３から放射素子接続線路３０５に電流が流れることが阻止又は阻害される。したがって、高周波素子３０３から給電部７０２に電流が流れることが阻止又は妨害され、アイソレーション特性を向上できる。
【００８３】
また、スロット３０７が、第２の周波数帯と第３の周波数帯に対してカットオフ特性を有するため、第３の周波数帯のアンテナの動作を行う放射素子７０１と、高周波放射部６０２との間のアイソレーション特性を向上できる。
【００８４】
また、放射素子７０１の長さＬ３と、低周波アンテナパターンの長さＬ２が、それぞれ、対応する共振周波数に基づいて規定されている。そのため、給電部７０２が２つの周波数帯それぞれの給電を行った場合、放射素子７０１と低周波アンテナパターンの一方が他方に影響を与えない。例えば、給電部７０２が第２の周波数帯の給電を行った場合、放射素子７０１が励振しない。また、給電部７０２が第３の周波数帯の給電を行った場合、低周波アンテナパターンが励振しない。
【００８５】
なお、上述した第１から第３の周波数帯の数値は、あくまで例示であり、本開示はこれに限定されない。
【００８６】
なお、上記実施の形態の説明に用いた「・・・部」という表記は、「・・・回路（circuitry）」、「・・・デバイス」、「・・・ユニット」、又は、「・・・モジュール」といった他の表記に置換されてもよい。
【００８７】
本開示はソフトウェア、ハードウェア、又は、ハードウェアと連携したソフトウェアで実現することが可能である。
【００８８】
上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。
【００８９】
集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。
【００９０】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【００９１】
本開示は、通信機能を持つあらゆる種類の装置、デバイス、システム（通信装置と総称）において実施可能である。通信装置の、非限定的な例としては、電話機（携帯電話、スマートフォン等）、タブレット、パーソナル・コンピューター（ＰＣ）（ラップトップ、デスクトップ、ノートブック等）、カメラ（デジタル・スチル／ビデオ・カメラ等）、デジタル・プレーヤー（デジタル・オーディオ／ビデオ・プレーヤー等）、着用可能なデバイス（ウェアラブル・カメラ、スマートウオッチ、トラッキングデバイス等）、ゲーム・コンソール、デジタル・ブック・リーダー、テレヘルス・テレメディシン（遠隔ヘルスケア・メディシン処方）デバイス、通信機能付きの乗り物又は移動輸送機関（自動車、飛行機、船等）、及び上述の各種装置の組み合わせがあげられる。
【００９２】
通信装置は、持ち運び可能又は移動可能なものに限定されず、持ち運びできない又は固定されている、あらゆる種類の装置、デバイス、システム、例えば、スマート・ホーム・デバイス（家電機器、照明機器、スマートメーター又は計測機器、コントロール・パネル等）、自動販売機、その他ＩｏＴ（Ｉｎｔｅｒｎｅｔ  ｏｆ  Ｔｈｉｎｇｓ）ネットワーク上に存在し得るあらゆる「モノ（Things）」をも含む。
【００９３】
通信には、セルラーシステム、無線ＬＡＮシステム、通信衛星システム等によるデータ通信に加え、これらの組み合わせによるデータ通信も含まれる。
【００９４】
また、通信装置には、本開示に記載される通信機能を実行する通信デバイスに接続又は連結される、コントローラやセンサー等のデバイスも含まれる。例えば、通信装置の通信機能を実行する通信デバイスが使用する制御信号やデータ信号を生成するような、コントローラやセンサーが含まれる。
【００９５】
また、通信装置には、上記の非限定的な各種装置と通信を行う、あるいはこれら各種装置を制御する、インフラストラクチャ設備、例えば、基地局、アクセスポイント、その他あらゆる装置、デバイス、システムが含まれる。
【００９６】
以上、図面を参照しながら各種の実施の形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、開示の趣旨を逸脱しない範囲において、上記実施の形態における各構成要素を任意に組み合わせてもよい。
【００９７】
本開示の一実施例におけるアンテナ装置は、基板の一方の面に設けられた、第１の周波数帯に共振周波数を有する少なくとも１つの第１放射素子と、前記基板の一方の面に設けられた少なくとも１つの第２放射素子と、前記基板の一方の面において前記第１放射素子と前記第２放射素子とを接続する接続線路と、前記基板の内部において前記第１放射素子と向き合う位置に設けられ、スロットを有する導体と、前記スロットを介して前記第１放射素子に給電する給電線路と、を備え、前記接続線路は、前記第１放射素子の、共振による放射電波の偏波方向に沿った方向の中央部に接続され、前記第１放射素子、前記接続線路、及び、前記第２放射素子によって形成される線路長が、前記第１の周波数帯よりも低い第２の周波数帯に共振周波数を有する長さに設定されている。
【００９８】
本開示の一実施例のアンテナ装置は、複数の前記第１放射素子を備え、前記接続線路は、前記複数の第１放射素子それぞれの中央部の間を接続する。
【００９９】
本開示の一実施例のアンテナ装置において、前記複数の第１放射素子は、前記給電線路から、位相および電力の値のうち少なくとも一方を制御された給電が行われる。
【０１００】
本開示の一実施例のアンテナ装置において、前記複数の第１放射素子は、前記偏波方向と前記偏波方向に垂直な方向とに配置され、前記第２放射素子は、前記偏波方向に沿って延びる部分と、前記偏波方向に垂直な方向に沿って延びる部分とを含む。
【０１０１】
本開示の一実施例のアンテナ装置において、前記基板の一方の面に設けられ、前記第２の周波数帯よりも低い第３の周波数帯に共振周波数を有する第３放射素子と、前記基板の一方の面において前記第２放射素子と接続され、前記第３放射素子と電磁界的に結合するグランドパターンと、前記第３放射素子に設けられ、前記第２放射素子に前記第２の周波数帯の電力を給電し、かつ、前記第３放射素子に前記第３の周波数帯の電力を給電する給電部と、を備える。
【０１０２】
本開示の一実施例のアンテナ装置において、前記第１放射素子と前記導体との間、および、前記導体と前記給電線路との間に、絶縁層が設けられる。
【０１０３】
本開示の一実施例のアンテナ装置において、前記導体は、前記第１放射素子よりも大きいサイズを有する。
【０１０４】
２０１８年４月１２日出願の特願２０１８−０７６９０９の日本出願に含まれる明細書、図面および要約書の開示内容は、すべて本願に援用される。
【産業上の利用可能性】
【０１０５】
本開示の一実施例は、小型の無線通信装置に用いるのに好適である。
【符号の説明】
【０１０６】
３００、６００、７００  マルチバンドアンテナ
３００ａ  アンテナ部
３０１  第１の誘電体
３０２  第２の誘電体
３０３  高周波素子
３０４  低周波素子
３０５  放射素子接続線路
３０６  低周波給電部
３０７  スロット
３０８  高周波給電線路
３０９  導体
３１０  高周波給電部
６０１  折り曲げ部
６０２  高周波放射部
７０１  放射素子
７０２  給電部
７０３  グランドパターン
【図１Ａ】
2019198666.tif 000003
【図１Ｂ】
2019198666.tif 000004
【図１Ｃ】
2019198666.tif 000005
【図２Ａ】
2019198666.tif 000006
【図２Ｂ】
2019198666.tif 000007
【図３】
2019198666.tif 000008
【図４】
2019198666.tif 000009
【図５】
2019198666.tif 000010
【国際調査報告】
2019198666.tif 000011
2019198666.tif 000012